(57)【特許請求の範囲】
【請求項１】
幅狭短尺板状で途中を上方に突出して突出部を形成した敷目部と、該敷目部の下辺を裏面側に屈曲した馳部と、敷目部の上辺を表面側に屈曲して形成した雨返部とから形成し、かつ、幅方向において、敷目部の両側縁を表面側に折り返し、その先端を内側方に突出した延長部と、該延長部の先端を敷目部の略中央近傍まで突出した係止舌片とから形成した係止部と、係止舌片の両先端を外側方に突出した係止片を有する防水継手材と、水平面状の係合片と、該係合片の中央部分を上方に突出した立ち上がり片と、該立ち上がり片の一端部を外方に突出した雪止め部とから形成した雪止めとからなり、防水継手材の係止部に雪止めの係合片を係合して一体化したことを特徴とする雪止め兼用防水継手材。
【発明の詳細な説明】
【０００１】
【発明の属する技術分野】
本発明は横葺き用屋根材、あるいは横張り用外壁材等の外装材を用いて屋根、壁体を形成した際の、左右の連結部に使用すると共に、雪止め機能を付加した雪止め兼用防水継手材に関するものである。
【０００２】
【従来の技術】
従来、横葺き用屋根材、横張り用外壁材等の外装材を施工した際の接続構造は、▲１▼外装材の両側縁をはぜ状に屈曲し、互いにはぜ継ぎした構造、▲２▼敷目板とカバー材とにより外装材の側端部を上下でサンドイッチした構造、▲３▼外装材同士を単に重ねた構造、等であった。
【０００３】
【発明が解決しようとする課題】
しかしながら、これらの構造において、▲３▼は防水性に劣り、▲１▼、▲３▼は外装材を重ねることにより段差が不揃いとなって意匠性の低下を招く不利があった。また▲２▼では、特に屋根材に適応した場合、積雪地方での雪落としの際にカバー材を外装材の長手方向にスライドさせてしまい継手部分が外部に露出してしまう危険性があった。また、この種接続構造には雪止め機能は付加されていなかった。
【０００４】
【課題を解決するための手段】
本発明はこのような欠点を除去するため、幅狭短尺板状で途中を外方に突出して突出部を形成した敷目部と、敷目部の幅方向の側端部を外方に突出し先端を内側方に延長し、略中央部分に長手方向に沿って断面略窪状に形成した係止部と、両先端を外側方に突出した係止片を有する防水継手材と、水平面状の係合片と、係合片の中央部分を上方に突出した立ち上がり片と、立ち上がり片の一端部を外方に突出した雪止め部とから形成した雪止めとからなり、防水継手材の係止部に雪止めの係合片を係合して一体化した雪止め兼用防水継手材を提供するものである。
【０００５】
【発明の実施の形態】
以下に図面を用いて本発明に係る雪止め兼用防水継手材について詳細に説明する。図１（ａ）〜（ｅ）は雪止め兼用防水継手材Ｐを示す斜視図と端面図、図２（ａ）〜（ｄ）は防水継手材Ａを示す説明図、図３（ａ）〜（ｃ）は雪止めＢを示す斜視図、図４（ａ）〜（ｃ）は金属製外装材ＤとシートＥよりなる外装材Ｃと、雪止め兼用防水継手材Ｐと、防水継手材Ａの施工状態を示す説明図である。また、αは下地、βは釘等の固定具を示している。
【０００６】
下地αは、新築の際は図４（ｃ）に示すように垂木１、野地板２、防水シート３（一点鎖線で示す）から構成した木造下地を示したものである。すなわち、垂木１上に野地板２を敷設し、野地板２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、改修屋根の際には、これらに新生瓦や瓦棒等の既存屋根（図示せず）が含まれる構造である。
【０００７】
防水継手材Ａは、例えば図１（ａ）〜（ｅ）、図２（ａ）〜（ｄ）に示すように、金属製外装材Ｄと同様な種類の素材を同等な成形法により形成したものである。その素材としては、金属材（例えばステンレス、鉄、アルミニウム、銅、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等）、あるいは合成樹脂材（プラスチック）、等であり、ロール成形、押出成形、射出成形、プレス成形、等を介して成形したものである。
【０００８】
すなわち、防水継手材Ａは図２（ａ）、（ｂ）に示すように、金属製外装材Ｄの裏面１８と当接する敷目部４と、敷目部４の下辺を裏面側に屈曲した馳部５と、敷目部４の上辺を表面側に屈曲して形成した雨返部６とから形成したものであり、かつ、幅方向において、敷目部４の両側縁を表面側に折り返し、その先端を内側方に突出した延長部８と、延長部８の先端を敷目部４の略中央近傍まで突出した係止舌片９とから形成した係止部７と、係止舌片９の先端を外側方に突出した係止片１０と、係止舌片９と係止片１０とから形成した係止溝１１とから形成したものである。また、敷目部４には上方に突出した突出部４ａを形成し、強度を向上すると共に、防水性をも向上しているものである。勿論、防水継手材Ａを単体で使用する場合には、外装材Ｃ同士を連結するジョイントとして機能するものである。
【０００９】
なお、この端面形状は敷目部４のみならず、馳部５から雨返部６にかけてほぼ同一とすることが可能である。すなわち、防水継手材Ａはロールフォーミング等により連続的に成形し、その後の切断、プレス加工等により連続して生産することが可能である。
【００１０】
係止舌片９は、図１（ｂ）に示すように雪止めＢの係合片１２を係合して雪止めＢを防水継手材Ａと雪止めＢを一体化するものである。
【００１１】
係止片１０と係止溝１１は、図１、（ｃ）、（ｄ）に示すように金属製外装材Ｄの化粧面１７の両端部を嵌合、係止し、化粧面１７の両端部を固定するものである。
【００１２】
なお、図４（ａ）に示すように外装材Ｃの引っ掛け溝２１の最奥部から固定片２５の端部間の寸法をＷ、図２（ａ）に示すように防水継手材Ａの敷目部４の長さをｗとすると、Ｗ＜ｗの関係である。
【００１３】
雪止めＢは図３（ａ）〜（ｃ）に示すように、固定部となる水平面状の係合片１２と、係合片１２の中央部分を上方に突出した立ち上がり片１３と、立ち上がり片１３の一端を外方に突出した固定片１５と、固定片１５にスポット溶接あるいはボルト・ナット等の固定方法で一体化する雪止め片１６とからなる雪止め部１４とから形成したものである。また、雪止めＢの素材としては、金属材（例えばステンレス、鉄、アルミニウム、銅、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等）、あるいは合成樹脂材（プラスチック）、等であり、ロール成形、押出成形、射出成形、プレス成形、等を介して成形したものである。
【００１４】
係合片１２は防水継手材Ａの係止部７に図１（ｂ）に示すように一体化され、外装材Ｃが下地αに固定具βを介して固定されることにより、下地α上に固定されるものである。勿論、防水継手材Ａと雪止めＢを接着剤、スポット溶接等の接着方法により一体化しても良いものである。
【００１５】
固定片１５は立ち上がり片１３の一端部を外方に屈曲して形成し、雪止め片１６を固定するための下地として機能するものである。
【００１６】
雪止め片１６は屋根上に積もった雪が、軒先より地面に落下し、軒下の人間にけがを負わせたり、車、下屋、等が破壊されるのを防止するものである。勿論、地方地方の降雪量により、雪止め兼用防水継手材Ｐの形成位置、形成個数は変化するものであり、部分的に例えば、軒先部分の外装材Ｃの１段目〜５段目部分（任意位置）にのみ形成したり、あるいは屋根全面に形成しても良いものである。
【００１７】
外装材Ｃの代表例として示す金属製外装材Ｄは、図４（ａ）、（ｂ）に示すようなものであり、例えば金属板（カラー鋼板、銅板、アルミニウム板、チタン板、ステンレス板、サンドイッチ鋼板、クラッド鋼板等）等をロール成形、プレス成形、押出成形、等によって形成したもの、あるいは窯業系素材、もしくは合成樹脂材（プラスチック）、等である。勿論、外装材Ｂは、シートＥを削除した金属製外装材Ｄのみでも使用可能である。
【００１８】
さらに説明すると、金属製外装材Ｄは長尺板状であり、その幅方向一側縁を化粧面１７の下側、すなわち、裏面１８側に略コ字状に屈曲して段差化粧面１９と、段差化粧面１９の下端を内側方に突出した差込縁２０と、化粧面１７と段差化粧面１９と差込縁２０とから略コ字状に形成した引っ掛け溝２１とから雄型連結部２２を形成したものである。
【００１９】
また、化粧面１７の他端には化粧面１７の上側に屈曲して断面略Ｕ字状に形成した前記差込縁２０と嵌合する嵌合溝２３と、嵌合溝２３の先端をコ字状に折り返した嵌合縁２４と、嵌合縁２４の先端を下方に屈曲すると共に化粧面１７と略平行で外方にＬ字状に屈曲して延長した固定片２５とから雌型連結部２６を形成したものである。
【００２０】
なお、長手方向の強度の強化と、外部からの雨水等が毛細管現象により内部に浸入するのを防止する意味で、差込縁２０と嵌合縁２４に凹条２７、凹条２８を形成している。
【００２１】
また、嵌合縁２４には凸条２９を形成したものであり、この凸条２９は図４（ｃ）に示すように施工された時点で、防水層、気密層として機能するものである。
【００２２】
シートＥは断熱材、吸音材、緩衝材、防火材、結露防止材、等として機能するものであり、不織布、合成樹脂発泡体（例えばＰＥＦ（ポリエチレンフォーム）、等）、ロックウール、テックス（軟質繊維板）、ゴムシート、樹脂シート、等よりなるものである。
【００２３】
シートＥの一例としては不織布であり、縦糸と横糸を交差させて繊維から織物にする従来の方法と異なり、各種の繊維を接着剤等で結合した布である。この布はまず繊維が平行に交差するか、また無秩序に配列された薄いフェルト状のものを接着剤で結合させるか、または主体となる繊維状態の中に別の熱可塑性繊維を混在させて、加熱および加圧して溶融し相互に結合させたりして作られたものである。一般的にはプラスチック補強材・レザー生地・フェルト等として用いられる。
【００２４】
その素材としては、例えばポリエステル系、ナイロン系、ビニロン系、ボロン系、炭素系、アルミナ系、炭化ケイ素系、アラミド系、ガラス系等の繊維からなるシート状物である。
【００２５】
その接着方法は、接着剤、熱融着、等を介して行うものであり、接着剤としては自然硬化型接着剤、常温硬化型接着剤、熱硬化型接着剤、紫外線硬化型接着剤、反応硬化型接着剤、等の少なくとも１種からなるものであり、例えばエポキシ樹脂、フェノール樹脂、ウレタン樹脂、ビニル樹脂、アクリル樹脂、ポリエステル樹脂、ＥＶＡ樹脂等の合成樹脂系の接着剤、ゴム系接着剤、油性系接着剤、等よりなるものである。
【００２６】
その接着はシートＥと金属製外装材Ｄの接触面全面、あるいは線状（複数本）、面状（複数本）で横、縦、斜め、等に形成するものである。勿論、全面に接着剤を介して形成した場合には、金属製外装材Ｄ自体に衝突した時の生ずる固体音（これに対して空気中を伝搬する音を空気音という）が、全面接着とシートの相乗効果により減衰し、家屋内側への騒音の侵入を防止する効果を有するものである。
【００２７】
さらに、シートＥには遮音材を含浸、含有、混合、積層（一層、あるいは複数層）、サンドイッチ、等し、シートＥ自体に遮音性を具備させることもできるものであり、遮音材は粉状、シート状、等である。
【００２８】
なお、遮音性を表す透過損失は均一な材料からできている壁体の単位面積当たりの重量とほぼ比例するので、単位面積当たりの質量が大きいほど、遮音性能は良くなるものである。このため、シートＥに形成する遮音材としては比重の大きい材料を使用するものである。
【００２９】
遮音材としては、金属粉（鉛、鉄、銅、真鍮、等）、コンクリート粉、セメント粉、ガラス粉、ゴム粉、等、あるいは金属板（鉛、鉄、銅、真鍮、等）、コンクリート板、セメント板、ガラス板、ゴム板、等、もしくは石粉、岩粉、石膏粉、炭酸カルシウム、ケイ酸カルシウム、等である。勿論、これらをシート状に形成（合成樹脂、接着剤等で結合）した遮音性シート材を遮音材として形成することもできる。
【００３０】
Ｆはパッキング材であり、合成樹脂系、ゴム系、等の防水材で、接着剤を介して、あるいはパッキング材Ｆ自体に粘着剤を形成したテープ材、もしくは熱融着、嵌合、等の接着手段により一体化しているものである。
【００３１】
以上説明したのは本発明に係る雪止め兼用防水継手材の一実施例であり、防水継手材Ａを図５（ａ）〜（ｃ）〜図７（ａ）〜（ｉ）に示すように形成したり、雪止めＢを図８（ａ）〜（ｄ）〜図１５（ａ）〜（ｔ）に示すように形成したり、雪止め兼用防水継手材Ｐを図１６（ａ）〜（ｃ）〜図１８（ａ）〜（ｃ）に示すように形成したり、外装材Ｃを図１９（ａ）〜（ｊ）、図２０（ａ）〜（ｋ）に示すように形成することもできるものである。
【００３２】
図５（ａ）〜（ｃ）〜図７（ａ）〜（ｉ）において、図６（ｂ）、（ｃ）は穴６ａを形成した防水継手材Ａ、図７（ｅ）〜（ｈ）はパッキング材Ｆを形成した防水継手材Ａである。
【００３３】
図９（ｃ）、（ｄ）は固定片７ａを形成した雪止めＢ、図１０（ａ）〜（ｃ）は雪止め部１４に嵌合して一体化するようにした雪止めＢである。
【００３４】
また、図１７（ａ）〜（ｃ）、図１８（ａ）〜（ｃ）は立ち上がり片１３部分まで一体化して形成した防水継手材Ａを使用した雪止め兼用防水継手材Ｐである。
【００３５】
図１９（ａ）〜（ｊ）、図２０（ａ）〜（ｋ）は外装材Ｃのその他の実施例を示す説明図であり、特に、図１９（ｃ）〜（ｊ）、図２０（ｃ）〜（ｊ）は外装材Ｃの裏面に断熱材Ｇ、裏面材Ｈを形成した防水継手材Ｄ、図２０（ａ）〜（ｋ）は取付具Ｉで固定するようにした外装材Ｃである。
【００３６】
断熱材Ｇはポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体よりなるボード、あるいはこれら合成樹脂発泡体をシート材でサンドイッチした複合板、もしくは石膏ボード、セメント板、炭酸カルシウム板、珪酸カルシウム板、セラミック板、木片セメント板、炭酸マグネシウム板、シージングボード、シージングインシュレーションボード、合板、さらにはグラスウール、ロックウール、等の繊維系断熱材、等よりなるもの、さらにはこれらの複合板よりなるものである。
【００３７】
裏面材Ｈは金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。
【００３８】
雪止め兼用防水継手材Ｐ同士の固定片１５あるいは雪止め片１６に亘って、長尺状の雪止め用アングルを固定して形成しても良いものである。また、雪止め兼用防水継手材Ｐの固定片１５あるいは雪止め片１６を落雪防止用のネットの設置下地として機能させても良いものである。
【００３９】
【発明の効果】
以上説明したように、本発明に係る雪止め兼用防水継手材によれば、▲１▼雪止めと防水継手材が一つの部材で兼用できる。▲２▼雪止め兼用防水継手材が上下左右に移動することがない。▲３▼雪止めにも防水継手材にも釘等の固定具を打設することがない。▲４▼雪止めと防水継ぎ材の一発施工のために施工性がよい。▲５▼施工が楽である。▲６▼年に数回しか雪の降らない温暖な気候の地方でも、大がかりな雪止めを必要としなく気軽に形成でき、外観上も違和感がない。等の特徴、効果がある。
【図面の簡単な説明】
【図１】本発明に係る雪止め兼用防水継手材の代表的一例を示す説明図である。
【図２】本発明に係る雪止め兼用防水継手材に使用する防水継手材の代表的一例を示す説明図である。
【図３】本発明に係る雪止め兼用防水継手材に使用する雪止めの代表的一例を示す説明図である。
【図４】本発明に係る雪止め兼用防水継手材に使用する外装材の代表例と施工状態を示す説明図である。
【図５】防水継手材のその他の実施例を示す説明図である。
【図６】防水継手材のその他の実施例を示す説明図である。
【図７】防水継手材のその他の実施例を示す説明図である。
【図８】雪止めのその他の実施例を示す説明図である。
【図９】雪止めのその他の実施例を示す説明図である。
【図１０】雪止めのその他の実施例を示す説明図である。
【図１１】雪止めのその他の実施例を示す説明図である。
【図１２】雪止めのその他の実施例を示す説明図である。
【図１３】雪止めのその他の実施例を示す説明図である。
【図１４】雪止めのその他の実施例を示す説明図である。
【図１５】雪止めのその他の実施例を示す説明図である。
【図１６】雪止め兼用防水継手材のその他の実施例を示す説明図である。
【図１７】雪止め兼用防水継手材のその他の実施例を示す説明図である。
【図１８】雪止め兼用防水継手材のその他の実施例を示す説明図である。
【図１９】外装材のその他の実施例を示す説明図である。
【図２０】外装材のその他の実施例を示す説明図である。
【符号の説明】
α  下地
β  固定具
Ｐ  雪止め兼用防水継手材
Ａ  防水継手材
Ｂ  雪止め
Ｃ  外装材
Ｄ  金属製外装材
Ｅ  シート
Ｆ  パッキング材
Ｇ  断熱材
Ｈ  裏面材
Ｉ  取付具
１  垂木
２  野地板
３  防水シート
４  敷目部
４ａ  突出部
５  馳部
６  雨返部
６ａ  穴
７  係止部
７ａ  固定片
８  延長部
９  係止舌片
１０  係止片
１１  係止溝
１２  係合片
１３  立ち上がり片
１４  雪止め部
１５  固定片
１６  雪止め片
１７  化粧面
１８  裏面
１９  段差化粧面
２０  差込縁
２１  引っ掛け溝
２２  雄型連結部
２３  嵌合溝
２４  嵌合縁
２５  固定片
２６  雌型連結部
２７  凹条
２８  凹条
２９  凸条
【図１】
0004447095.tif 000002
【図２】
0004447095.tif 000003
【図３】
0004447095.tif 000004
【図４】
0004447095.tif 000005
【図５】
0004447095.tif 000006
【図６】
0004447095.tif 000007
【図７】
0004447095.tif 000008
【図８】
0004447095.tif 000009
【図９】
0004447095.tif 000010
【図１０】
0004447095.tif 000011
【図１１】
0004447095.tif 000012
【図１２】
0004447095.tif 000013
【図１３】
0004447095.tif 000014
【図１４】
0004447095.tif 000015
【図１５】
0004447095.tif 000016
【図１６】
0004447095.tif 000017
【図１７】
0004447095.tif 000018
【図１８】
0004447095.tif 000019
【図１９】
0004447095.tif 000020
【図２０】
0004447095.tif 000021